(57)【要約】      （修正有）【課題】酷暑の環境下においてスポーツ等に支障を与えない範囲で身体に冷感を供与・提供し、疲労を最小限に制約でき、また子供の体は日々成長していることに順応させ、サイズが自由に変えられる背中冷却衣を提供する。【解決手段】肩掛け部と後背部２の冷却剤を入れる袋部とを別々に独立して製作のうえ前部の肩掛け部の肩先先端部分と脇側先端部分に固着させた伸縮材に複数のスリット５１の入った伸縮部５を設け、後背部２の冷却剤を入れる袋部の肩先先端部と脇側先端部にそれぞれ伸縮材のスリット５１に合う係止具７を設け、係止具７とスリット５１を留め合わせることにより一体化することにより、スリット５１の係止位置を変更することで求めるサイズを自由かつ簡単にできる背負い型の背中冷却具構造である。【選択図】図１
0003197733.tif 000002
【実用新案登録請求の範囲】
【請求項１】
後背部と前記後背部の身体側に設ける袋部と肩掛け部と伸縮部で構成され、前記後背部と前記袋部と前記肩掛け部は内布と外布及び当該内布と外布の間に急速吸水材を狭持させた３層構造とし、前記袋部に冷却剤を収納して背中を冷却する背負い型背中冷却具において、左右の後背部の肩先先端部と後背部の脇側先端部に係止具を固着し、左右の肩掛け部の肩先先端部と肩掛け部の脇側先端部に複数のスリットを有する伸縮部を固着し、該スリット部と該係止具を互いに適宜の位置で係止することにより装着者の体型サイズの変化に順応させる構造としたことを特徴とする背中冷却衣。
【請求項２】
前記肩掛け部は立体裁断され、かつ長さ方向の略中央部が幅広形状であり、隣接する前記後背部と前記伸縮部に立体縫製で連接する構造であることを特徴とする請求項１に記載の背中冷却衣。
【考案の詳細な説明】
【技術分野】
【０００１】  本考案は冷却剤を収容して身体の上半身に装着し、酷暑の環境でスポーツをする若年者及び屋外で遊ぶ幼児を対象とし、身体に受ける暑気を和らげることを目的とする背負い型の背中冷却衣に関する。
【背景技術】
【０００２】  近年、夏場の熱中症による若年者の重大事故が後を絶たない。これらの要因は指導者や親のほか周囲の人たちのちょっとした不注意に係わる事が多く、結果的に取り返しのつかない事故が多発していることは嘆かわしい現象である。
それらの酷暑の環境下においてスポーツや遊びに等に支障を与えない範囲で身体に冷感を供与・提供し、疲労を最小限に抑制できる用具の提供が求められている。【０００３】  特に、若年者向けの用具は、当該者が日々成長しているために、常に装着感を維持し、少しでも長く利用できる用具を用意することが慣用で、数年間は使い続けることを市場は求めており、多様なサイズが提供できることが重要である。【０００４】  本願考案者は、先に成人向けの労働環境の著しい対象者向けの背負い型背中冷却具を考案し（特許文献１）製品化したことにより市場より高い評価を得ているが、当該考案は成人向けであるがために、その製品サイズは特殊な体型の該当者以外はＳ、Ｍ、Ｌを用意すれば、特段の要求や要請を受けることはない。
一方、前記したように若年者は常に成長が伴い、その成長度合いも千差万別であり、いかなる体型にも適用する製品構造を持たせた製品を用意・提供することは生産者として至難の業である。
【先行技術文献】
【特許文献】
【０００５】
【特許文献１】実用新案登録第３１８７４２７号  公開公報
【考案の概要】
【考案が解決しようとする課題】
【０００６】  本願考案者は、前記のかかる問題点を解消し、若年又は幼児などの使用者が至便に利用でき、かつ冷却効果と併せて身体からの発汗や冷却剤の低温に起因する結露水を、用いる素材自体が吸収し、袋部に収容した冷却剤の重量が肩部に集中しない立体裁断・縫製構造とすることで装着者に新たな問題が起因されない実用性の高い背中冷却衣を提案するものである。【０００７】  本願考案者は、大きさの調整はアジャスターとか調整金具を使用する一般的な構造ではなく肩部及び脇下部のはぎ合わせ部位を利用して、伸縮部に２〜７個のスリットの入った伸縮材を用い、対峙する部位には該スリットに合うボタンを付けることにより、装着使用する若年者の身体の成長に合わせてそのサイズを容易・自由に調節可能にする構造とする。本構造を後背部下端と肩掛け部下端に設けることにより成人使用者の特に胸囲や腹囲の変化による体格変調に合わせて装着感を損なわずに大きさを自由に変えることができる。前記何れの構造も装着者に新たな問題が起因されない実用性の高い背負い型の背中冷却衣を提案するものである。
【課題を解決するための手段】
【０００８】  本考案の第一点は、後背部と前記後背部の身体側に設ける袋部と肩掛け部と伸縮部で構成され、前記後背部と前記袋部と前記肩掛け部は内布と外布及び当該内布と外布の間に急速吸水材を狭持させた３層構造とし、前記袋部に冷却剤を収納して背中を冷却する背負い型背中冷却具において、左右の後背部の肩先先端部と後背部の脇側先端部に係止具を固着し、左右の肩掛け部の肩先先端部と肩掛け部の脇側先端部に複数のスリットを有する伸縮部を固着し、該スリット部と該係止具を互いに適宜の位置で係止することにより装着者の体型サイズの変化に順応させる構造としたことを特徴とする背中冷却衣とすることにある。【０００９】  本願考案の第二点は、前記肩掛け部は立体裁断され、かつ長さ方向の略中央部が幅広形状であり、隣接する前記後背部と前記伸縮部に立体縫製で連接する構造であることを特徴とする請求項１〜請求項２の何れかに記載の背中冷却衣とすることにある。
【考案の効果】
【００１０】  前記したように、本願考案者の先行技術構造は、成人の酷暑環境下での作業者の熱気を抑制するための目的で考案されたものであり、製品サイズを固定化しても特段の問題は想起されなかった。
しかしながら、若年者は年代別に多様なサイズを求められていることに加え、日々体型が生長することが特徴的で、そのニーズに応えるための製品を提供することは至難であるのが事態である。
本願考案を適用することによって、そのサイズは概ね、幼稚園児向け、小学生向け、中・高校生向けを標準化することにより、装着者の数年間の成長に順応させ得る背中冷却衣を提供することができるのである。【００１１】  また、本願考案者が考案した先の背負い型背中冷却具における成人向けであっても本願構造を胸囲や腹囲に適用することによって、装着者の経年による肥満や痩身等により体型変化にも適用できる製品を提供できる特徴を有している。
また、成人でも近年多発している高齢者の熱中症対策としての適用も可能であり、装着者の着衣の異なる体型にも装着間を損なわずに活用できる可能性を有していることも確信できる。
【図面の簡単な説明】
【００１２】
【図１】本願考案の背中冷却衣を装着した状態の身体後背部の斜視図
【図２】本願考案の背中冷却衣を装着した状態の身体前面部の斜視図
【図３】本願考案の背中冷却衣の肩掛け部の正面図
【図４】本願考案の背中冷却衣の外側（後背部）正面図
【図５】本願考案の背中冷却衣の後背部の身体側と、胸側（前身頃）正面図
【図６】本願考案の背中冷却衣の後背部と肩掛け部の留め合わせた時の後ろから見た正面図
【考案を実施するための形態】
【００１３】  請求項１に記載の発明に関し図１〜図６を用いて説明する。
背中の上位部位である肩胛骨周辺を冷却するための構造として、後背部２と後背部２の身体側の略中央部に設ける袋部３と肩掛け部４と伸縮部５で構成され、前記後背部２と前記袋部３と前記肩掛け部４は内布と外布及び当該内布と外布の間に急速吸水材を狭持させた３層構造とし、前記袋部３に冷却剤を収納して背中を冷却する背負い型の背中冷却具において、左右の後背部２の肩先先端部２１に連接する伸縮部５と後背部２の脇側先端部２２に連接する伸縮部５に２〜７個のスリット５１部を設け、左右の肩掛け部４の肩先先端部４１と肩掛け部４の脇側先端部４２に係止具７（ボタン）を設け、互いを適宜の位置で係止することにより装着者の体型サイズの変化に順応させる構造としたことを特徴とする背中冷却衣を構成する。
【００１４】  先ず基本となる構造について説明する。
図１は装着者が本願考案の背負い型の背中冷却衣１を装着した背中部位の斜視図ある。
装着者が背中部に冷却効果を得るためには、後背部２と肩掛け部４と伸縮部５で形成された略楕円形の空洞部分に腕を通して、肩掛け部４を装着者の胸前（前身頃）に引き寄せて完成形となる。
本願考案の背負い型の背中冷却衣１は、簡易な構造と装着の簡便さでもって装着者の背中を冷却する目的を果たすことが出来るのである。
当該袋部３に冷却された冷却剤（図示せず）が収納された場合でも、上下部の伸縮部５で緊迫度を確保しているため、当該後背部２の身体側に固着した袋部３の加重が肩掛け部４における肩位置よりも胸前部位に作用するので、当該袋部３を含む後背部２が背中で下側にずれ落ちることを最小限にすることができる。
【００１５】  図２は着用者が本願考案の背負い型の背中冷却衣１を装着した時の胸部（前身頃）斜視図である。
冷却剤の重量が肩に集中せず、肩掛け部４の前身頃全体にかかっており、当該袋部３を含む後背部２が背中の下側にずれ落ちることを最小限にすることができている。
なお、本願考案の形状・構造とすることにより、両肩の部位に冷却剤の重量に起因する加重がかかることが少ないため「なで肩」の装着者でも肩掛け部４が二の腕の方向にずれることも最小限に抑制することができる。
【００１６】  図３は本願考案の背負い型の背中冷却衣１の肩掛け部４の正面図である。
本願考案の最大の特徴として、左右の後背部２の肩先先端部２１と後背部２の脇側先端部２２係止具７（本願考案ではボタン）を固着しに、相対峙する左右の肩掛け部４の肩先先端部４１と肩掛け部４の脇側先端部４２に連接する伸縮部５に複数のスリット５１（好ましくは２〜７個であるがスリット数に制約は設けない）を設けたことにある。
即ち、肩掛け部４の肩先先端部４１と肩掛け部４の脇側先端部４２に連接する伸縮部５の複数のスリット５１のスリット位置を選択し、相対峙する後背部２の肩先先端部２１と脇側先端部２２に固着された係止具を係止することにより装着者が望む密着度を確保することができるため、若年層装着者の成長度に順応して有効な冷却手段を講じることができるのである。
【００１７】  なお、肩掛け部４の胸前部位に、当該肩掛け部４を更に身体にフィットさせるため、胸前部位において両方の肩掛け部４を緩やかに固定するための肩掛け部雌係止具８１及び肩掛け部雄係止具８２が設けられている。
本願考案においては、より身体への装着感を高めたい装着者向けに、前記雌雄の係止具８１及び８２の取り付け等も包摂するものとする。
当該雌雄の肩掛け部雌係止具８１の形状や素材に関しては、平らな布製に限らず丸いゴム状の伸縮材を用いてもよく、他方の肩掛け部雄係止具８２はバックルが代表的であるが、それらと同様の機能を有するものであれば前記雌雄の係止具８１及び８２の素材や形状、構成は本願考案の目的を達せられるもの全てを包摂するものとする。
また、長さや緊迫度調節用にボタン接続構造とすることもできる。
【００１８】  図４は本願考案の後背部２の正面図である。
後背部２の肩先先端部２１と脇側先端部２２にそれぞれ係止具（ボタン）７を固着することとしている。
これにより図３の肩掛け部４の伸縮部５（無数のスリット５１が施された伸縮材）と後背部２の係止具７（ボタン）とを合わせることにより一体化した本願考案の目的である装着者の身体生長に会わせたサイズの変更が自由に簡単に順応させることが可能となる。
【００１９】  図５は本願考案の後背部２の身体側と、胸側（前身頃）の正面図であり後背部２の身体側に設ける袋部３を示している。
袋部３は、冷却された冷却剤を収納するため下部と両側部は後背部２と縫製等によって固着されており、当該袋部３の上方は冷却剤の出し入れに便利なように開放されていて、後背部２の身体側（内側）と袋部３の後背部２側（内側）には雌雄の袋部係止具６が固着される。
この雌雄の袋部係止具６によって、収納された冷却剤がどのような作業姿勢にも当該袋部３より逸脱することなく当該袋部３の中に安定して収納される。
【００２０】  また、胸部筋肉の発達した装着者向けや、乳房の発達した女児が装着する場合の肩掛け部４の胸上部（体の後ろ側に引っ張れる）への肩掛け部４のずり上がり（後背部のずり下がり）を防止するため肩掛け部雌係止具８１、雄係止具８２を設けることも有効である。
本願考案においては、前記雌雄の係止具８１及び８２を特段の必要性を主張していないが、より身体への装着感を高めたい装着者向けに、当該雌雄の係止具８１及び８２の取り付け等も包摂するものとする。
該係止具の長さや緊迫度調節用にゴムとボタンの接続構造とすることもできるがその構成は本願考案の目的を達せられるもの全てを包摂するものとする。
【００２１】  図６は本願考案の後背部２と肩掛け部４を係止し合体した状態の後ろから見た正面図である。
後背部２に付けられた係止具（ボタン）７と肩掛け部４に固着した伸縮部５に無数にスリット５１の入った伸縮材とを留め合わせることにより本願考案の背負い型の背中冷却衣１が完成する。
このスリット５１を係止具（ボタン）７との留め合わせるスリット５１位置を変えることによりアームホールが変わるのでそれぞれ装着者の体格に合わせることができる。
【００２２】  請求項２について図２〜図５を参照して説明する。
本願考案の第二点は、前記肩掛け部４を立体裁断されかつ長さ方向の略中央部を幅広形状とし、肩掛け部４と隣接する後背部２と伸縮部５に立体縫製で連接する構造とした背負い型の背中冷却衣１とすることにある。
前記肩掛け部４の略中央部を幅広形状とすることにより、背中位置の袋部３に収納されて冷却剤の重みが、当該略中央部が幅広の肩掛け部４全体に分散され装着者が特定箇所に冷却剤の重みを感じないのに加え胸部のずり上がり（後背部のずり下がり）防止も功を奏する構造となっている。
【００２３】  本願考案の肩掛け部４は立体裁断され、かつ長さ方向の中央部が幅広形状としたことに併せて、当該肩掛け部４に隣接する後背部２及び伸縮部５との接続箇所においても立体縫製とすることで、当該袋部３に収納された冷却剤の重量は、肩の部位ではなく肩掛け部４の前胸側（前身頃）の略中央部に集中するので、後背部２の袋部３が背中下位にずり落ちることなく，装着者の背中上位に密着するので、背部の肩胛骨近傍を心地よく冷却する目的を果たすことが出来るのである。
【００２４】  また、本願考案の背負い型の背中冷却衣１において、その主たる構成部位である後背部２と袋部３と肩掛け部４の各部位の厚み方向の構成は、表布と裏布と当該表布と裏布の間に急速吸水材を狭持した３層構造をすることにある。
本願考案に用いる表布と裏布の素材は速乾吸水材が好適であり、現時点ではセオ・アルファ「ＣＥＯα」（東レ株式会社の登録商標）が最適であるが、本願考案の目的を達成できる素材であればそれら全てを包摂するものとする。
また、本願考案の背負い型の背中冷却衣１の後背部２と袋部３と肩掛け部４の各部位において表布と裏布に狭持される厚み方向の３層構造の急速吸水材に関しては、現時点でベルオアシス（帝人ファイバー株式会社の登録商標）を用いるのが最適であるが、本素材に関しても、本願考案の目的を達成できる素材であればそれら全てを包摂するものとする。
【００２５】  前記表布及び裏布には速乾吸水性を有する素材を用い更に、当該表布と裏布の間に急速吸水性を有する素材を狭持させた３層構造とすることで本願考案の背負い型の背中冷却衣１の機能をより高いレベルとすることが出来る。
即ち、当該表布と裏布に狭持された急速吸水材は、本願考案の袋部３に収納される冷却剤により、身体から発散される汗等と併せ外気に触れることで発生する結露水を繊維体積の１０倍にも及ぶ急速吸水材（ベルオアシス）が吸水し、表布と裏布の速乾性機能によって本願考案の背負い型の背中冷却衣１の表面に結露することなく外気等へ蒸散・発散させ得ることにより、本願考案の背負い型の背中冷却衣１は表面が濡れ状態となることを最小限に抑制できる。
【産業上の利用可能性】
【００２６】  近年、夏場の熱中症による子供達の事故が絶えない。親及び指導者のちょっとした不注意により、熱中症による取り返しのつかない事故が多発している。
近年の酷暑の環境下においてスポーツ等に体の動きに支障を与えない範囲で身体に冷感を供与・提供し、疲労を最小限に制約できる用具の提供が求められている。
本願考案は冷却剤を収容して身体の背中に装着し、酷暑の環境でスポーツをする子供たち、屋外で遊ぶ幼児達の身体に受ける暑気を和らげることを目的としまた子供の体は日々成長している為、サイズが自由に変えられる物が求められる。これらの要望を満たした若年者及び幼児向け背中冷却衣である。
【符号の説明】
【００２７】１  背中冷却衣
２  後背部
３  袋部
４  肩掛け部
５  伸縮部
６  袋部係止具
７  係止具
２１  後背部の肩先先端部
２２  後背部の脇側先端部
４１  肩掛け部の肩先先端部
４２  肩掛け部の脇側先端部
５１  スリット
８１  肩掛け部雌係止具
８２  肩掛け部雄係止具
【図１】
0003197733.tif 000003
【図２】
0003197733.tif 000004
【図３】
0003197733.tif 000005
【図４】
0003197733.tif 000006
【図５】
0003197733.tif 000007
【図６】
0003197733.tif 000008